(57)【要約】　　　（修正有）【課題】ワンピースタイプ・ロングベストタイプ共にフリーサイズとし、老若男女、障害の重軽度、被介護者、介護者ともに、使い勝手をよくする。【解決手段】３ウエイ仕様の型紙と両面テープを使用しワンピースタイプとロングタイプのよだれかけとする。ワンピースタイプのよだれかけはよだれかけをセパレートに分ける事なく裁断し、両面テープを使用しデザイン的に優れたよだれかけとする。ベストタイプはワンピースタイプと互換性をもたせるようにする。【選択図】　　　図１
2004124292.tif 000002
【特許請求の範囲】
【請求項１】
本発明のワンピースタイプのよだれかけは、ワンピースの前開き部の位置の工夫により、よだれかけをセパレートに分けることなく、１枚のワンピースとよだれかけに独立裁断することができる型紙。
【請求項２】
本発明のロングベストタイプは肩のみを縫い合わせることにより、よだれかけをセパレートに分けることなく、ワンピースタイプとの互換性をもたせることができる型紙。
【請求項３】
本発明の２タイプともに、洋服部とよだれかけの着脱が便利な両面テープを使用することにより、実用的かつデザイン的にすぐれたおしゃれよだれかけになったその両面テープ応用箇所と丈。
【請求項４】
また、本発明のワンピースタイプは、洋服部も両面テープの使用により、着脱の利便性に工夫を凝らした型紙と両面テープ応用箇所。
【請求項５】
本発明のワンピースタイプ・ベストタイプ共に、よだれかけをはずしワンピースとして、ベストとして着用できるデザインとなるよう工夫した型紙と両面テープの形と応用箇所。
【請求項６】
本発明のよだれかけは、よだれかけのみを洋服部ときりはなし単独使用も可能な実用的かつデザイン的に工夫を凝らした紐と両面テープ付きの型紙。
【発明の詳細な説明】
【０００１】
【発明の属する技術分野】
本発明の型紙により、老若男女を問わず、障害の重軽を問わず、ホームウエアーとして又は外出着としてよだれかけのイメージを払拭して３ウエイ着用が可能になった。
【０００２】
【従来の技術】
従来はデザイン性を無視し、赤ちゃん用のよだれかけと要介護者用のナイロン製よだれかけのみで、ウエアー機能を付帯した３ウエイ可能な物はなかった。このことにより、よだれかけが必要な者でも自らよだれかけを使用する意欲をもたないという問題点があった。
【０００３】
【発明が解決しようとする課題】
本発明の型紙は、介護者、要介護者、健常者、老若男女いずれにとっても着脱が容易であり、単なるよだれかけの域を出るウエアーに仕上げたことにより、誰でも気軽に意欲的に着用でき、着用者のニーズに合わせウエアーとよだれかけを切り離して着用することも可能なように工夫。またワンピースタイプとベストタイプのどちらにも同じよだれかけを付けることを可能とする型紙とし、２タイプのウエアーのよだれかけに互換性をもたせ、各々３ウエイに着用できるよう利便性を図った。
【０００４】
【課題を解決するための手段】
上記目的を達成するために、前開きワンピースタイプとロングベストタイプの２タイプのウエアーと長い丈のよだれかけの型紙を考案。
【０００５】
まず、ワンピースタイプの前開き位置をサイドに決める型紙を考案。わずかな身頃の重ね合わせに誰でも容易に着脱可能なよう両面テープを応用した。
【０００６】
ワンピースタイプの前開き位置をサイドに決めたことにより、よだれかけを中央で２枚に切断することなく、１枚物として型を起こすことができた。このウエアーとよだれかけの型紙により、ホームウエアー、よだれかけ機能付きウエアー、よだれかけのみの使用の３ウエイが可能となった。
【０００７】
ロングベストタイプは、襟ぐりを大きくとり、両肩のみを縫い合わせ、両サイドを紐で結ぶ型紙を考案したことにより、誰でも容易に着脱が可能となり、よだれかけの型紙をワンピースタイプと同型にしたことにより、双方でよだれかけの互換性を持たせることができた。
【０００８】
ロングベストタイプもワンピースタイプと同様、ベスト、よだれかけ機能付きベスト、よだれかけのみの使用の３ウエイが可能となった。
【０００９】
ワンピースタイプ・ロングベストタイプ共に着丈をひざ下丈としたことにより、よだれかけの長さをデザイン的にも機能的にも無理なく実用的なひざ上の長さにすることができた。
【００１０】
ひざ上丈のよだれかけは、各ウエアーに付けた時、ウエスト位置までを左右合わせて６個の両面テープでウエアーと固定させる工夫をし、残りの下部を従来品同様、テーブル上に乗せることができるようにしたことで、食物を下へ落とすことなく飲食ができるようにした。
【００１１】
よだれかけには、首面両サイドに紐をつけることで、ウエアーからはずしよだれかけのみで使用することも可能にした。
【００１２】
【発明の実施の形態】
３ウエイで可能な限り使い勝手がいいように最良の工夫をした
【００１３】
【実施例】
発明の実施の形態を実施例にもとづき図面を参照して説明する。
図１の長袖ひざ下丈ワンピースタイプよだれかけの型紙図は、サイド前開き１にし、両面テープを使用することで着脱の簡便化を図る。大きめの襟ぐり２に合わせ、ロングベストタイプとの互換性を持たせるため、同サイズ・同型でヘムの縁飾りを付けた３よだれかけ４をポイント飾り５の位置でワンピースと両面テープで着脱できるようにする。ポイント飾り５はウエスト位置までとし６、そこから裾までは留めなし７でテーブルの上にランチョンマット代わりに敷くことで物を下へ落とすことがないようにする。また、両肩に紐８を付け利用者のニーズに合わせてよだれかけのみでの使用も可能にする。袖の内側には半袖にもできるよう短いベルト９を縫いこみ、使用時には袖をたくし上げベルトのもう一方を両面テープで止めるようにする。また袖口は緩めのゴムにし、裾の両サイドは動きやすいようスリット１１にする。
【００１４】
図２に示される型紙図の実施例では、１２のように６個の位置に両面テープを縫いつけ各々に外側に向くよう同サイズの両面テープを紐で繋げ１３よだれかけをつけない状態時にはその対の両面テープで蓋をして洋服に付いている両面テープの粘着性を阻止し、よだれかけを付けた時には、よだれかけの表面の両面テープの粘着性を阻止する。
【００１５】
図３に示される実施例は、右前身ごろの型紙図で、３個の両面テープ１４を図のように配し左前身ごろとの着脱に使用する。左から点線１５までが左前身頃と重なる。裾から上へ１０センチはスリットになる部分１６で縫い合わせない。
【００１６】
図４に示される実施例は、左前身ごろの型紙図で、点線１７の部分の下に右前身ごろが重なる。１８の両面テープ縦３個は裏表両面縫い付け、裏に付けた両面テープは右前身ごろとの着脱に使用、表に付けた両面テープは１９の縦３個の両面テープと共によだれかけの装着に使用する。１９の縦３個の両面テープは、表面のみに縫い付ける。裾から上へ１０センチはスリットになる部分２０で縫い合わせない。
【００１７】
図５に示される実施例は、後ろ身ごろの型紙図で、左右両サイドの裾から上へ１０センチはスリットになる部分２１で縫い合わせない。袖ぐりはゆったりと大きめに作ることで動きやすさと着脱の便利さを考える。
【００１８】
図６に示される実施例は、袖の型紙図で、大きな袖ぐり２２に特徴があり、余裕のある袖口２３にゆるくゴムを入れる。袖の裏側にはベルト２４を１箇所縫いつけ、ブラブラの状態にし、もう一方に両面テープを縫いつけたくし上げて半袖にできるようにしておく。
【００１９】
図７に示される実施例は、よだれかけの型紙図で、縁を前面ヘムテープ２５でアクセントを付け、裏表共に６個の両面テープ２６を縫い付けリバーシブルで両面使用できる。両肩に紐２７を縫いつけることにより、よだれかけ単独で使用できる。
【００２０】
図８に示される実施例は、ロングベストタイプのよだれかけの型紙図である。ワンピースタイプのよだれかけと仕様が重複する箇所については、説明を省略する。
前身ごろと後ろ身ごろは肩だけの縫い合わせ２８とし、ウエスト位置の紐２９で調節する。襟ぐり３０の大きさは、ワンピースタイプと同サイズとする。
【００２１】
図９に示される実施例は、前身ごろで３１の両面テープでワンピースタイプと同様、よだれかけの着脱をする。ウエスト位置に紐３２を左右両サイドに付ける。
【００２２】
図１０に示される実施例は、後身ごろである。ウエスト位置に紐３３を左右両サイドに付ける。両肩のみ３４を前身ごろと縫い合わせる。
【００２３】
よだれかけについては、ワンピースタイプと仕様が同じなので、省略する。
【発明の効果】
以上説明したように、老若男女、障害の有無・重軽等無関係にあらゆる場面で使用可能なものとなった。
【図面の簡単な説明】
【図１】おしゃれよだれかけ・ワンピースタイプの全体図である。
【図２】おしゃれよだれかけ・ワンピースタイプのよだれかけをはずした図である。
【図３】おしゃれよだれかけ・ワンピースタイプの右前身ごろの図である。
【図４】おしゃれよだれかけ・ワンピースタイプの左前身ごろの図である。
【図５】おしゃれよだれかけ・ワンピースタイプの後ろ身ごろの図である。
【図６】おしゃれよだれかけ・ワンピースタイプの袖の図である。
【図７】よだれかけの図である。
【図８】おしゃれよだれかけ・ロングベストタイプの全体図である。
【図９】おしゃれよだれかけ・ロングベストタイプの前身ごろである。
【図１０】おしゃれよだれかけ・ロングベストタイプの後ろ身ごろである。
【符号の説明】
１　サイド前開き
２　大きめの襟ぐり
３　ヘムの縁かざり
４　よだれかけ
５　ポイント飾り
６　ウエスト位置
７　留めなし
８　両肩に紐
９　袖の内側にベルト
１０　緩めのゴム
１１　両サイドスリット
１２　両面テープ
１３　蓋となる両面テープ
１４　両面テープ
１５　左前身ごろと下で重なる部分
１６　スリット部分
１７　上で右前身ごろと重なる部分
１８　裏と両面に両面テープ
１９　両面テープ
２０　スリット部分
２１　スリット部分
２２　余裕のある袖つけ
２３　余裕のある広さでゴム入り
２４　袖の裏側にあるベルト
２５　ヘムテープ
２６　両面テープ
２７　紐
【図１】
2004124292.tif 000003
【図２】
2004124292.tif 000004
【図３】
2004124292.tif 000005
【図４】
2004124292.tif 000006
【図５】
2004124292.tif 000007
【図６】
2004124292.tif 000008
【図７】
2004124292.tif 000009
【図８】
2004124292.tif 000010
【図９】
2004124292.tif 000011
【図１０】
2004124292.tif 000012